(57)【要約】【課題】本発明は、伝達遅延時間を短縮することができると共に、パルス幅歪みを抑制することができる受信装置を提供することを目的とする。【解決手段】電圧信号Ｓ３０のピーク電圧の略１／２より低い第１の閾値電圧を生成する第１の閾値電圧生成部６０、７０、８０、９０と、電圧信号Ｓ３０のピーク電圧より、第１の閾値電圧分低い第２の閾値電圧を生成する第２の閾値電圧生成部５０、１００と、電圧信号Ｓ３０が第１の電位から第１の電位より高い第２の電位に変化する場合には、第１の閾値電圧を選択して出力し、電圧信号Ｓ３０が第２の電位から第１の電位に変化する場合には、第２の閾値電圧を選択して出力する選択部ＳＷと、電圧信号Ｓ３０と、選択部ＳＷから出力される第１又は第２の閾値電圧Ｓ７０とを比較することにより、デジタル信号Ｓ１００を生成し出力する比較部４０、１１０とを備える。【選択図】図１
2007096593.tif 000002
【特許請求の範囲】
【請求項１】
光信号を受光し、前記光信号に応じた電流信号を生成する受光部と、
前記電流信号を電圧信号に変換する変換部と、
前記電圧信号のピーク電圧の略１／２より低い第１の閾値電圧を生成する第１の閾値電圧生成部と、
前記電圧信号の前記ピーク電圧より、前記第１の閾値電圧分低い第２の閾値電圧を生成する第２の閾値電圧生成部と、
前記電圧信号が第１の電位から前記第１の電位より高い第２の電位に変化する場合に、前記第１の閾値電圧より高くなった後は、前記第２の閾値電圧を選択して出力し、前記電圧信号が前記第２の電位から前記第１の電位に変化する場合に、前記第２の閾値電圧よりも低くなった後は、前記第１の閾値電圧を選択して出力する選択部と、
前記電圧信号と、前記選択部から出力される前記第１又は第２の閾値電圧とを比較する比較部と
を備えることを特徴とする受信装置。
【請求項２】
光信号を受光し、前記光信号に応じた電流信号を生成する受光部と、
前記電流信号を電圧信号に変換する変換部と、
前記電圧信号のピーク電圧の略１／２より低い第１の閾値電圧を生成する第１の閾値電圧生成部と、
前記電圧信号の前記ピーク電圧より、前記第１の閾値電圧分低い第２の閾値電圧を生成する第２の閾値電圧生成部と、
前記電圧信号が第１の電位から前記第１の電位より高い第２の電位に変化する場合には、前記第１の閾値電圧を選択して出力し、前記電圧信号が前記第２の電位から前記第１の電位に変化する場合には、前記第２の閾値電圧を選択して出力する選択部と、
前記電圧信号と、前記選択部から出力される前記第１又は第２の閾値電圧とを比較することにより、デジタル信号を生成し出力する比較部と
を備えることを特徴とする受信装置。
【請求項３】
前記第１の閾値電圧生成部は、前記第１の閾値電圧を発生する定電圧源を有することを特徴とする請求項１又は２に記載の受信装置。
【請求項４】
前記第２の閾値電圧生成部は、
前記電圧信号の前記ピーク電圧を保持するピークホールド回路と、
前記第１の閾値電圧を発生し、前記ピークホールド回路から出力される前記ピーク電圧を前記第１の閾値電圧分低くする定電圧源と
を有することを特徴とする請求項１乃至３のいずれかに記載の受信装置。
【請求項５】
前記比較部から出力される前記デジタル信号を所定時間遅延させる遅延回路をさらに備え、
前記選択部は、スイッチング素子からなり、前記遅延回路において所定時間遅延された前記デジタル信号に基づいて、その接続状態を切り換えることにより、前記第１又は第２の閾値電圧を選択して出力することを特徴とする請求項１乃至４のいずれかに記載の受信装置。
【発明の詳細な説明】
【技術分野】
【０００１】
本発明は、受信装置に関する。
【背景技術】
【０００２】
発光素子から伝送される光信号を受光素子によって受光する受信装置がある。かかる受信装置は、光信号を受光することによって得られた電流信号を電圧信号に変換し、当該電圧信号と所定の閾値電圧とを比較することにより、デジタル信号を生成し出力する。
【０００３】
ところで、この受信装置は、電圧信号の信号レベルが大きくなって飽和すると（すなわちダイナミックレンジを超えると）、正確なデジタル信号を生成することができなくなる場合がある。このような事態を回避するため、受信装置は、電圧信号の振幅範囲の略中央付近に、閾値電圧が位置するように、当該電圧信号の信号レベルを調整した上で、閾値電圧との比較を行って２値化することが提案されている（例えば特許文献１参照）。
【０００４】
以下、光信号を受信する受信装置に関する文献名を記載する。
【特許文献１】特開２００４−１７９９８２号公報（第１図）
【特許文献２】実公平８−４７５５号公報（第１図）
【発明の開示】
【発明が解決しようとする課題】
【０００５】
本発明は、伝達遅延時間を短縮することができると共に、パルス幅歪みを抑制することができる受信装置を提供することを目的とする。
【課題を解決するための手段】
【０００６】
本発明の一態様による受信装置によれば、
光信号を受光し、前記光信号に応じた電流信号を生成する受光部と、
前記電流信号を電圧信号に変換する変換部と、
前記電圧信号のピーク電圧の略１／２より低い第１の閾値電圧を生成する第１の閾値電圧生成部と、
前記電圧信号の前記ピーク電圧より、前記第１の閾値電圧分低い第２の閾値電圧を生成する第２の閾値電圧生成部と、
前記電圧信号が第１の電位から前記第１の電位より高い第２の電位に変化する場合に、前記第１の閾値電圧より高くなった後は、前記第２の閾値電圧を選択して出力し、前記電圧信号が前記第２の電位から前記第１の電位に変化する場合に、前記第２の閾値電圧よりも低くなった後は、前記第１の閾値電圧を選択して出力する選択部と、
前記電圧信号と、前記選択部から出力される前記第１又は第２の閾値電圧とを比較する比較部と
を備えることを特徴とする。
【０００７】
また本発明の一態様による受信装置によれば、
光信号を受光し、前記光信号に応じた電流信号を生成する受光部と、
前記電流信号を電圧信号に変換する変換部と、
前記電圧信号のピーク電圧の略１／２より低い第１の閾値電圧を生成する第１の閾値電圧生成部と、
前記電圧信号の前記ピーク電圧より、前記第１の閾値電圧分低い第２の閾値電圧を生成する第２の閾値電圧生成部と、
前記電圧信号が第１の電位から前記第１の電位より高い第２の電位に変化する場合には、前記第１の閾値電圧を選択して出力し、前記電圧信号が前記第２の電位から前記第１の電位に変化する場合には、前記第２の閾値電圧を選択して出力する選択部と、
前記電圧信号と、前記選択部から出力される前記第１又は第２の閾値電圧とを比較することにより、デジタル信号を生成し出力する比較部と
を備えることを特徴とする。
【発明の効果】
【０００８】
本発明の受信装置によれば、伝達遅延時間を短縮することができると共に、パルス幅歪みを抑制することができる。
【発明を実施するための最良の形態】
【０００９】
以下、本発明の実施の形態について図面を参照して説明する。
【００１０】
図１に、本発明の実施の形態による受信装置１０の構成を示し、図２に、当該受信装置１０において得られる各信号の信号波形を示す。この受信装置１０は、例えば発光素子と受光素子との間で光信号を伝送するフォトカプラや光デジタルデータリンクなどの受信側で使用される。
【００１１】
受信装置１０は、受光素子としてフォトダイオード２０を有し、当該フォトダイオード２０のアノードは、グランドＧＮＤに接続され、カソードはトランスインピーダンスアンプ（ＴＩＡ）３０の入力端に接続されている。
【００１２】
受信装置１０は、図示しない送信装置の発光素子によって生成され、伝送されてくる光信号Ｓ１０（図２（ａ））をフォトダイオード２０によって受光する。この光信号Ｓ１０は、矩形状のパルスを有し、例えば“Ｈ”レベルは、発光素子から光が出力されることによって生成され、“Ｌ”レベルは、発光素子から光が出力されないことによって生成される。
【００１３】
フォトダイオード２０は、受光した光信号Ｓ１０に応じた電流信号Ｓ２０を生成し、これをトランスインピーダンスアンプ３０に出力する。トランスインピーダンスアンプ３０は、この電流信号Ｓ２０を電圧信号Ｓ３０（図２（ｂ））に変換し、これを差動増幅器４０の第１の入力端及びピークホールド回路５０に出力する。
【００１４】
なお、この電圧信号Ｓ３０は、図２（ｂ）に示すように、“Ｌ”レベルから“Ｈ”レベルに変化するまで、及び“Ｈ”レベルから“Ｌ”レベルに変化するまで、それぞれ一定の時間を要し、このため台形状のパルスを有する。
【００１５】
ところで、本実施の形態の場合、基準電位を生成するための回路として、遮光部６０、ダミーフォトダイオード７０及びダミートランスインピーダンスアンプ（ダミーＴＩＡ）８０が設けられている。
【００１６】
遮光部６０は、ダミーフォトダイオード７０が光信号Ｓ１０を受光しないように配置され、これによりダミートランスインピーダンスアンプ８０は、ノイズなどによって発生した電流信号Ｓ４０を電圧信号Ｓ５０に変換することにより、トランスインピーダンスアンプ３０から出力される電圧信号Ｓ３０の“Ｌ”レベルに相当する基準電位ＶＲ（図２（ｂ））を生成する。
【００１７】
ダミートランスインピーダンスアンプ８０の出力端は、電圧ＶＡを発生させる定電圧源９０の−極に接続され、当該定電圧源９０の＋極は、スイッチＳＷの第１の入力端子ＩＮ１に接続されている。これにより、スイッチＳＷの第１の入力端子ＩＮ１には、基準電位ＶＲより電圧ＶＡ分だけ高い第１の閾値電圧ＶＡ（図２（ｃ））が発生する。なお、この第１の閾値電圧ＶＡは、トランスインピーダンスアンプ３０から出力される電圧信号Ｓ３０のピーク電圧ＶＭ（図２（ｂ））の約１／２より小さい電圧の範囲内において、選定することが可能である。
【００１８】
一方、ピークホールド回路５０は、トランスインピーダンスアンプ３０から出力される電圧信号Ｓ３０のピーク電圧ＶＭ（図２（ｄ））を所定時間保持する。ピークホールド回路５０の出力端は、電圧ＶＡを発生させる定電圧源１００の＋極に接続され、当該定電圧源１００の−極は、スイッチＳＷの第２の入力端子ＩＮ２に接続されている。これにより、スイッチＳＷの第２の入力端子ＩＮ２には、電圧信号Ｓ３０のピーク電圧ＶＭより第１の閾値電圧ＶＡ分だけ低い第２の閾値電圧ＶＢ（図２（ｄ））が発生する。
【００１９】
スイッチＳＷは、コンパレータ１１０から遅延回路１２０を介して与えられる切換信号Ｓ６０に基づいてその接続状態を切り換える。すなわち、スイッチＳＷは、電圧信号Ｓ３０（図２（ｂ））が、“Ｌ”レベルである場合には、接続状態を、第１の入力端子ＩＮ１側に切り換えることにより、第１の閾値電圧ＶＡを選択する（図２（ｅ））。
【００２０】
この状態において、スイッチＳＷは、電圧信号Ｓ３０（図２（ｂ））が、“Ｌ”レベルから“Ｈ”レベルに変化すると、当該電圧信号Ｓ３０（図２（ｂ））が、“Ｈ”レベルに変化したタイミングに基づいて、接続状態を、第１の入力端子ＩＮ１側から第２の入力端子ＩＮ２側に切り換えることにより、第２の閾値電圧ＶＢを選択する（図２（ｅ））。
【００２１】
さらにこの状態において、スイッチＳＷは、電圧信号Ｓ３０（図２（ｂ））が、“Ｈ”レベルから“Ｌ”レベルに変化すると、“Ｌ”レベルに変化したタイミングに基づいて、接続状態を、第２の入力端子ＩＮ２側から第１の入力端子ＩＮ１側に切り換えることにより、第１の閾値電圧ＶＡを選択する（図２（ｅ））。
【００２２】
このようにして生成された閾値電圧信号Ｓ７０（図２（ｅ））は、差動増幅器４０の第２の入力端に入力される。差動増幅器４０は、第１の入力端から入力された電圧信号Ｓ３０と、第２の入力端から入力された閾値電圧信号Ｓ７０との電圧差を増幅し、その結果得られた電圧信号Ｓ８０を第１の出力端から出力すると共に、電圧信号Ｓ８０を反転させた電圧信号Ｓ９０を第２の出力端から出力する。
【００２３】
コンパレータ１１０は、第１及び第２の入力端から入力された電圧信号Ｓ８０及びＳ９０に基づいて、トランスインピーダンスアンプ３０から出力された電圧信号Ｓ３０（図２（ｂ））を、閾値電圧信号Ｓ７０（図２（ｅ））と比較する。
【００２４】
その結果、コンパレータ１１０は、電圧信号Ｓ３０（図２（ｂ））の電位が閾値電圧信号Ｓ７０（図２（ｅ））の第１の閾値電圧ＶＡより高くなるタイミングで（時点ｔ１０）、“Ｌ”レベルから“Ｈ”レベルに変化し、電圧信号Ｓ３０（図２（ｂ））の電位が閾値電圧信号Ｓ７０（図２（ｅ））の第２の閾値電圧ＶＢより低くなるタイミングで（時点ｔ２０）、“Ｈ”レベルから“Ｌ”レベルに変化する電圧信号Ｓ１００（図２（ｆ））を生成する。
【００２５】
この電圧信号Ｓ１００は、コンパレータ１１０の第１の出力端から出力され、出力回路１３０の第１の入力端に入力されると共に、遅延回路１２０によって所定時間ＴＤ遅延された後（図２（ｆ））、切換信号Ｓ６０としてスイッチＳＷに与えられる。
【００２６】
この場合、スイッチＳＷは、切換信号Ｓ６０が“Ｌ”レベルである場合には、その接続状態を、第１の入力端子ＩＮ１側に切り換えることにより、第１の閾値電圧ＶＡを選択し、切換信号Ｓ６０が“Ｈ”レベルである場合には、その接続状態を、第２の入力端子ＩＮ２側に切り換えることにより、第２の閾値電圧ＶＢを選択する。このように、コンパレータ１１０から出力される電圧信号Ｓ１００を基にスイッチＳＷを切り換えれば、正確に閾値電圧を選択することができる。
【００２７】
ところで、コンパレータ１１０は、電圧信号Ｓ１００を生成する際、電圧信号Ｓ１００を反転させた電圧信号Ｓ１１０をも生成し、これを第２の出力端から出力する。出力回路１３０は、第１及び第２の入力端から電圧信号Ｓ１００及びＳ１１０が入力されると、第１の入力端から入力された電圧信号Ｓ１００を増幅し、その結果得られた出力信号Ｓ１２０（図２（ｇ））を外部に出力する。
【００２８】
因みに、光信号Ｓ１０（図２（ａ））が“Ｌ”レベルから“Ｈ”レベルに変化するタイミングから、出力信号Ｓ１２０（図２（ｇ））が“Ｌ”レベルから“Ｈ”レベルに変化するタイミングまでに要する時間を立ち上がり時の伝達遅延時間ｔｐＬＨと呼び、光信号Ｓ１０（図２（ａ））が“Ｈ”レベルから“Ｌ”レベルに変化するタイミングから、出力信号Ｓ１２０（図２（ｇ））が“Ｈ”レベルから“Ｌ”レベルに変化するタイミングまでに要する時間を立ち下がり時の伝達遅延時間ｔｐＨＬと呼ぶ。
【００２９】
このように本実施の形態によれば、電圧信号Ｓ３０が“Ｌ”レベルから“Ｈ”レベルに変化する場合（すなわち立ち上がり時）には、電圧信号Ｓ３０のピーク電圧ＶＭ（図２（ｂ））の約１／２より小さい電圧ＶＡを閾値電圧として使用し、電圧信号Ｓ３０が“Ｈ”レベルから“Ｌ”レベルに変化する場合（すなわち立ち下がり時）には、ピーク電圧ＶＭより当該電圧ＶＡ分だけ低い電圧ＶＢを閾値電圧として使用する。
【００３０】
すなわち、比較対象である電圧信号Ｓ３０が立ち上がり時であるか、又は立ち下がり時であるかに応じて、閾値電圧を切り換える。これにより、ピーク電圧ＶＭの約１／２の電圧を、一定の閾値電圧として使用する場合と比較して、立ち上がり時間（電圧信号Ｓ３０（図２（ｂ））が“Ｌ”レベルから“Ｈ”レベルに変化するのに要する時間）及び立ち下がり時間（電圧信号Ｓ３０（図２（ｂ））が“Ｈ”レベルから“Ｌ”レベルに変化するのに要する時間）による影響を低減して、立ち上がり時及び立ち下がり時の伝達遅延時間ｔｐＬＨ及びｔｐＨＬを短縮することができる。
【００３１】
ところで、ピークホールド回路５０は、“Ｈ”レベルの光信号Ｓ１０がフォトダイオード２０によって一定時間受光されずに、トランスインピーダンスアンプ３０からピーク電圧ＶＭが一定時間与えられない場合には、放電によって、保持している電圧が徐々に低くなる（図２（ｄ））。
【００３２】
しかし、本実施の形態のように、立ち上がり時には、第１の閾値電圧ＶＡを使用することより、ピークホールド回路５０から出力される電圧が低くなり、第２の入力端子ＩＮ２に発生する電圧が低下しても、コンパレータ１１０から出力される電圧信号Ｓ１００（図２（ｆ））が“Ｌ”レベルから“Ｈ”レベルに変化するタイミングにずれが生じることはなく、これによりパルス幅歪みが発生することを抑制することができる。
【００３３】
なお、本実施の形態の場合、立ち下がり時には、ピーク電圧ＶＭより第１の閾値電圧ＶＡ分だけ低い第２の閾値電圧ＶＢを使用することにより、立ち上がり時の伝達遅延時間ｔｐＬＨと立ち下がり時の伝達遅延時間ｔｐＨＬを略等しくすることができ、従ってパルス幅歪みを低減することができる。
【００３４】
ここで図３に、第１の比較例として、トランスインピーダンスアンプから出力される電圧信号（図３（ｂ））を、当該電圧信号（図３（ｂ））のピーク電圧ＶＭの約１／２に相当する電圧分だけ低くすることにより、電圧信号（図３（ｄ））の振幅範囲の略中央付近に閾値電圧ＶＴを位置させた上で、閾値電圧ＶＴとの比較を行う場合に得られる各信号の信号波形を示す。
【００３５】
この第１の比較例の場合、電圧信号（図３（ｄ））の電位が閾値電圧ＶＴより高くなるタイミングで（時点ｔ３０）、“Ｌ”レベルから“Ｈ”レベルに変化し、電圧信号（図３（ｄ））の電位が閾値電圧ＶＴより低くなるタイミングで（時点ｔ４０）、“Ｈ”レベルから“Ｌ”レベルに変化する電圧信号（図３（ｅ））を生成する。
【００３６】
従って、立ち上がり時及び立ち下がり時の伝達遅延時間ｔｐＬＨ及びｔｐＨＬ（図３（ｆ））として、少なくとも、電圧信号（図３（ｄ））の立ち上がり時間及び立ち下がり時間の半分に相当する時間ＴＤ１０及びＴＤ２０の時間を要し、これ以上伝達遅延時間を短縮することができない。
【００３７】
これに対して、本実施の形態によれば、立ち上がり時間及び立ち下がり時間の半分に相当する時間より、さらに立ち上がり時及び立ち下がり時の伝達遅延時間ｔｐＬＨ及びｔｐＨＬを短縮することができる。
【００３８】
また、この第１の比較例の場合、本実施の形態と同様に、“Ｈ”レベルの光信号（図３（ａ））が一定時間受光されずに、トランスインピーダンスアンプからピークホールド回路にピーク電圧ＶＭが一定時間与えられない場合には、当該ピークホールド回路に保持されている電圧は、徐々に低くなり、その後、基準電位ＶＲにまで低下する（図２（ｃ））。
【００３９】
この状態において、“Ｈ”レベルの光信号（図３（ａ））が受光されても、トランスインピーダンスアンプから出力される電圧信号（図３（ｂ））の立ち上がり付近では、ピークホールド回路に保持されている電圧がピーク電圧ＶＭより小さいため（図３（ｃ））、比較対象の電圧信号（図３（ｄ））は、立ち上がり付近で、本来の電位より高くなる。
【００４０】
これにより、コンパレータから出力される電圧信号（図３（ｅ））が “Ｌ”レベルから“Ｈ”レベルに変化するタイミングが、本来のタイミングと比較して速くなり、パルス幅歪みＰＷＤ（図３（ｅ））が生じる。
【００４１】
これに対して、本実施の形態によれば、立ち上がり時には、ピークホールド回路５０に保持されている電圧に基づいて生成される電圧ではなく、第１の閾値電圧ＶＡを使用することより、パルス幅歪みが発生することを抑制することができる。
【００４２】
ここで、第２の比較例として、受光素子から出力される出力信号と比較するための閾値電圧として、当該出力信号の立ち上がり時には、所定の基準電圧を使用し、当該出力信号の立ち下がり時には、当該基準電圧より高い電圧であって、かつ比較回路から出力される出力信号の時間平均値に対応する電圧を使用する方法について説明する。
【００４３】
この第２の比較例の場合、光信号の信号波形、すなわち“Ｈ”レベルの期間と“Ｌ”レベルの期間との割合に応じて、立ち下がり時に使用される閾値電圧が変化するため、立ち下がり時の伝達遅延時間ｔｐＨＬが長くなることが生じ、また立ち下がり時の伝達遅延時間ｔｐＨＬにばらつきが生じる。
【００４４】
これに対して、本実施の形態によれば、ピークホールド回路５０に保持されているピーク電圧ＶＭに基づいて、立ち下がり時に使用する第２の閾値電圧ＶＢを生成する。これにより、光信号Ｓ１０の信号波形、すなわち“Ｈ”レベルの期間と“Ｌ”レベルの期間との割合にかかわらず、立ち下がり時に使用される第２の閾値電圧ＶＢを一定にすることができる。
【００４５】
従って、立ち下がり時の伝達遅延時間ｔｐＨＬが長くなること、及び立ち下がり時の伝達遅延時間ｔｐＨＬにばらつきが生じることを抑制することができる。これにより、立ち下がり時の伝達遅延時間ｔｐＨＬを短縮することができると共に、パルス幅歪みが発生することを抑制することができる。
【００４６】
なお上述の実施の形態は一例であって、本発明を限定するものではない。例えば図４に示すように、コンパレータ１１０の第２の出力端から出力される、電圧信号Ｓ１００を反転させた電圧信号Ｓ１１０に基づいて、スイッチＳＷの接続状態を切り換えても良い。
【００４７】
また、図５に示すように、差動増幅器４０の第１の出力端から出力される電圧信号Ｓ８０に基づいて、スイッチＳＷの接続状態を切り換えても良い。また、図６に示すように、差動増幅器４０の第２の出力端から出力される、電圧信号Ｓ８０を反転させた電圧信号Ｓ９０に基づいて、スイッチＳＷの接続状態を切り換えても良い。
【００４８】
また、図７に示すように、トランスインピーダンスアンプ３０から出力される電圧信号Ｓ３０を、増幅器及び遅延回路２４０によって増幅及び遅延させることにより生成された切換信号Ｓ６０に基づいて、スイッチＳＷの接続状態を切り換えても良い。
【００４９】
また、図８に示すように、フォトダイオード２０のアノードを電源端子に接続し、カソードをトランスインピーダンスアンプ３０の入力端に接続しても良い。
【００５０】
この場合、ダミートランスインピーダンスアンプ８０の出力端に、電圧ＶＡを発生させる定電圧原９０の＋極を接続し、当該定電圧源９０の−極を、スイッチＳＷの第１の入力端子ＩＮ１に接続すると共に、ピークホールド回路５０の出力端に、電圧ＶＢを発生させる定電圧源２５０の＋極を接続し、当該定電圧源２５０の−極を、スイッチＳＷの第２の入力端子ＩＮ２に接続する必要がある。
【００５１】
かかる受信装置２４０において得られる電圧信号Ｓ２００〜Ｓ２４０は、受信装置１０において得られる、対応する各信号の信号波形（図２（ｂ）、図２（ｃ）及び図２（ｅ））を、反転させた信号波形を有する。
【００５２】
また、図９に示すように、受信装置２４０において、コンパレータ１１０の第２の出力端から出力される、電圧信号Ｓ１００を反転させた電圧信号Ｓ１１０に基づいて、スイッチＳＷの接続状態を切り換えても良い。
【００５３】
また、図１０に示すように、受信装置２４０において、差動増幅器４０の第１の出力端から出力される電圧信号Ｓ２３０に基づいて、スイッチＳＷの接続状態を切り換えても良い。また、図１１に示すように、受信装置２４０において、差動増幅器４０の第２の出力端から出力される、電圧信号Ｓ２３０を反転させた電圧信号Ｓ２４０に基づいて、スイッチＳＷの接続状態を切り換えても良い。
【図面の簡単な説明】
【００５４】
【図１】本発明の実施の形態による受信装置の構成を示すブロック図である。
【図２】同受信装置において得られる各信号の信号波形である。
【図３】比較例の受信装置において得られる各信号の信号波形である。
【図４】他の実施の形態による受信装置の構成を示すブロック図である。
【図５】他の実施の形態による受信装置の構成を示すブロック図である。
【図６】他の実施の形態による受信装置の構成を示すブロック図である。
【図７】他の実施の形態による受信装置の構成を示すブロック図である。
【図８】他の実施の形態による受信装置の構成を示すブロック図である。
【図９】他の実施の形態による受信装置の構成を示すブロック図である。
【図１０】他の実施の形態による受信装置の構成を示すブロック図である。
【図１１】他の実施の形態による受信装置の構成を示すブロック図である。
【符号の説明】
【００５５】
１０  受信装置
２０、７０  フォトダイオード
３０  トランスインピーダンスアンプ
４０  差動増幅器
５０  ピークホールド回路
６０  遮光部
８０  ダミートランスインピーダンスアンプ
９０、１００  定電圧源
１１０  コンパレータ
１２０  遅延回路
１３０  出力回路
ＳＷ  スイッチ
【図１】
2007096593.tif 000003
【図２】
2007096593.tif 000004
【図３】
2007096593.tif 000005
【図４】
2007096593.tif 000006
【図５】
2007096593.tif 000007
【図６】
2007096593.tif 000008
【図７】
2007096593.tif 000009
【図８】
2007096593.tif 000010
【図９】
2007096593.tif 000011
【図１０】
2007096593.tif 000012
【図１１】
2007096593.tif 000013